(57)【要約】【課題】ロースタ加熱装置の後方に位置する本体外郭後面の温度を低減すること。【解決手段】ロースタ部３０の後方に位置する本体外郭後面３１の内側に、本体外郭後面３１と少なくともロースタ部３０の後部との間を仕切る仕切り壁３３を設け、本体外郭後面３１と仕切り壁３３との間に空間３４を確保するとともに、この空間３４に冷却風が流れる構成とした。【選択図】  図１
2004281196.tif 000002
【特許請求の範囲】
【請求項１】
外郭を構成する本体と、前記本体の上面に設けたトッププレート、吸気口および排気口と、前記トッププレートに載置した鍋等の被加熱物を高周波加熱する加熱コイルと、前記加熱コイルの出力を制御する出力制御部と、前記本体内に設けた冷却ファンと、前記本体内に設け前記出力制御部と独立した部位を形成するロースタ部とを備え、前記ロースタ部後方に位置する前記本体外郭後面の内側に、前記本体外郭後面と少なくとも前記ロースタ部後部との間を仕切る仕切り壁を設け、前記本体外郭後面と仕切り壁との間に空間を確保する構成とした誘導加熱調理器。
【請求項２】
仕切り壁に覆われた本体外郭後面に開口を設け、前記仕切り壁と前記本体外郭後面との間の空間に、ロースタ部の周囲を通過した熱気とは別の冷却風を通す通風路を設ける構成した請求項１記載の誘導加熱調理器。
【請求項３】
空間を仕切る壁の冷却ファン側に導入口をもうけ、前記冷却ファンからの冷却風が、前記導入口から前記仕切り壁と前記本体外郭後面との間の空間を通り、前記本体外郭後面の開口に至る通風路を形成する構成とした請求項２記載の誘導加熱調理器。
【請求項４】
仕切り壁と本体外郭後面との間隔は導入口に近い方が広く、導入口から離れるにしたがって狭くなる構成とした請求項３記載の誘導加熱調理器。
【請求項５】
本体外郭後面に複数の開口を設け、仕切り壁と本体外郭後面との間の空間に外気が前記開口の下部から流入し、前記開口の上部より流出する通風路を形成する構成した請求項２記載の誘導加熱調理器。
【請求項６】
仕切り壁と本体外郭後面との間の空間に断熱材を挿入する構成とした請求項１〜５のいずれか１項に記載の誘導加熱調理器。
【請求項７】
仕切り壁のロースタ部に対向する面および本体外郭後面の仕切り壁に対抗する面の少なくとも一方に熱線反射層を設ける構成とした請求項１〜６のいずれか１項に記載の誘導加熱調理器。
【請求項８】
本体外郭後面の外面に輻射膜を設ける構成とした請求項１〜７のいずれか１項に記載の誘導加熱調理器。
【発明の詳細な説明】
【０００１】
【発明の属する技術分野】
本発明は一般家庭で使用するロースタ部を有する誘導加熱調理器に関し、特に、器体の外面温度を低減したものに関する。
【０００２】
【従来の技術】
従来、この種の誘導加熱調理器としては、高温になるロースタ加熱装置の前面開口部を除くロースタ加熱装置の外面に仕切り板を設け、仕切り板で２重遮蔽した箱体となし、遮蔽層である仕切り板に冷却風導入口を設け、前記冷却風導入口から導いた冷却風でロースタ加熱装置を冷却した後、器体背面外郭側から器体上面後部の排気口から排気されることにより、ロースタ加熱装置を冷却するようなものがあった。以下、図７、８を用いて説明する。
【０００３】
図７は従来の誘導加熱調理器の分解斜視図、図８は同ロースタ加熱装置の斜視図である。図において、本体１の内部には加熱コイル２および３が配設され、さらに下方の略中央には本体１の内部を仕切り板４で仕切り、ロースタ加熱装置５を配したロースタ室６が設けられている。また、仕切り板４の両側には、右冷却装置７と左冷却装置８が配設されている。仕切り板４の前方には右前導入口９があり、右冷却装置７により冷却風が右前導入口９からロースタ加熱装置５側に流れ込み、ロースタ加熱装置５と本体１底面の間を前方から後方に流れ、排気口１１から排気される甲冷却風路１１が形成されている。
【０００４】
また、冷却風が仕切り板４の後方に開口した右後導入口１２からロースタ加熱装置５側に流れ込み、ロースタ加熱装置５の後面下方から上方に上昇して排気口１０から排気される乙冷却風路１３が形成されている。
【０００５】
さらに、右冷却装置７により冷却風が右制御装置１４の上方を通って仕切り板４の上面に沿って前方から後方に流れ、排気口１０から排気される丙冷却風路１５が形成されている。
【０００６】
以上のように冷却風路を構成することで、バランスよくしかも全体的に効率よくロースタ加熱装置が冷却され、ロースタ加熱装置の冷却効率を向上させるとともに、加熱コイルや、制御装置の温度上昇が抑止されるというものであった（例えば、特許文献１参照）。
【０００７】
【特許文献１】
特開２００２−１９０３７５号公報
【０００８】
【発明が解決しようとする課題】
近年、誘導加熱調理器の普及に伴い、それを用いた調理範囲が拡大するにつれて、現在の火力では物足らずさらに大きな出力、例えば、２０％程度出力を増加した誘導加熱調理器が要望されるようになってきた。しかしながら、誘導加熱調理器のように一般家庭の台所で使用されるよな機器では、台所の広さからその寸法が制約される。特に、流し台に組み込んで使用するような場合は、組み込みができるように寸法が規制されていた。そこで、現状の寸法を維持したまま出力を増加する事が考えられた。
【０００９】
しかるに、従来の構成では、ロースタ加熱装置５の周囲を冷却する甲冷却風路１１および、乙冷却風路１３はロースタ加熱装置５の周囲を通過して高温になった後、排気口１０に達する手前で本体１の外郭後面１６に沿って流れるので、外郭後面１６は高温の熱気に晒されることになる。したがって、寸法が規制されているため、従来の寸法および構成のままで出力を増加すると、その分排気の温度は高くなり外郭後面の温度も高くなる。そのため、使用時に誤って触れると火傷する危険性があるり、これを防ぐために外郭後面の温度を低減しなければならないという課題が生じてきた。
【００１０】
本発明は、前記従来の課題を解決するもので、ロースタ加熱装置後方に位置する本体外郭後面がロースタ加熱装置を冷却した高温排気に直接さらされないようにして、温度上昇の低減を図り安全性を向上した誘導加熱調理器を提供することを目的とする。
【００１１】
【課題を解決するための手段】
前記従来の課題を解決するために、本発明の誘導加熱調理器はロースタ部後方に位置する本体外郭後面の内側に、前記本体外郭後面と少なくとも前記ロースタ部後部との間を仕切る仕切り壁を設け、前記本体外郭後面と仕切り壁との間に空間を確保する構成とした。この構成により、ロースタ加熱装置を冷却した高温の排気が仕切り壁に沿って上昇し排気口より排気されるため、本体外郭後面は高温の排気に直接晒される事なく、しかも、高温となる仕切り壁との間には空間があるため熱伝導による熱伝達が抑えられ温度が上昇しにくくなる。
【００１２】
【発明の実施の形態】
請求項１に記載の発明は、外郭を構成する本体と、前記本体の上面に設けたトッププレート、吸気口および排気口と、前記トッププレートに載置した鍋等の被加熱物を高周波加熱する加熱コイルと、前記加熱コイルの出力を制御する出力制御部と、前記本体内に設けた冷却ファンと、前記本体内に設け前記出力制御部とは独立した部位を形成するロースタ部とを備え、前記ロースタ部後方に位置する前記本体外郭後面の内側に、前記本体外郭後面と少なくとも前記ロースタ部後部との間を仕切る仕切り壁を設け、前記本体外郭後面と仕切り壁との間に空間を確保する構成とした。この構成により、ロースタ加熱装置を冷却した高温の排気が仕切り壁に沿って上昇し排気口より排気されるため、本体外郭後面は高温の排気に直接晒される事なく、しかも、高温となる仕切り壁との間には空間があるため熱伝導による熱伝達が抑えられ温度が上昇しにくくなる。したがって、本体外郭後面の温度を低減することができる。
【００１３】
請求項２に記載の発明は、特に、請求項１に記載の構成において、本体外郭後面に開口を設け、前記仕切り壁と前記本体外郭後面との間の空間に、前記ロースタ部の周囲を通過した熱気とは別の冷却風を通す通風路を設ける構成した。この構成により、排気口直前の通風経路である本体外郭が加熱室周囲を通過した高温熱気に晒されなくなり温度の低減を図ることができると共に、ひいては本体を設置するキッチン台の温度上昇も低減することができる。
【００１４】
請求項３に記載の発明は、特に、請求項２に記載の構成において、空間を仕切る壁の冷却ファン側に導入口を設け、前記冷却ファンからの冷却風が、前記導入口から前記仕切り壁と前記本体外郭後面との間の空間を通り、前記本体外郭後面の開口に至る通風路を形成する構成とした。この構成により、冷却ファンによる送風圧により導入口から、仕切り壁と本体後面外郭との空間を通り、本体外郭後面の開口に至る通風路が構成される。したがって、ロースタ加熱装置の高温排熱は仕切り壁で止められ、空間には、ロースタ加熱装置の高温排熱を排除した冷却風が流れ、ロースタ後方に位置する本体外郭後面の温度が低減するとともに、器体を設置するキッチン台の温度上昇も低減することができる。かつ、冷却ファンから排気口に至る排気経路は、前記通気路が新たに追加されるので排気抵抗は低減され、冷却ファンの能力低下を生じることなく実施することができる。
【００１５】
請求項４に記載の発明は、特に、請求項３に記載の空間を、仕切り壁と本体外郭後面との間隔は導入口に近い方が広く、導入口から離れるにしたがって狭くなる構成としたことにより、導入口より導入された冷却風は空間の奥の方まで到達しやすくなるので、本体外郭後面の温度分布を小さくすることができる。
【００１６】
請求項５に記載の発明は、特に、請求項２に記載の構成において、本体外郭後面に複数の開口を設け、仕切り壁と本体外郭後面との間の空間に外気が前記開口の下部から流入し、前記開口の上部より流出する通風路を形成する構成した。この構成により、仕切り壁がロースタ加熱装置の高温排熱を受け止め、仕切り壁と本体外郭後面との間の空間には、本体外郭後面に設けた開口から自然対流で出入りする通風路が構成され、本体外郭後面温度の低減を図ることができる。
【００１７】
請求項６に記載の発明は、特に、請求項１〜５のいずれか１項に記載の空間に断熱材を挿入することにより、ロースタ加熱装置からの熱を遮断し、本体外郭後面の温度を低減することができる。
【００１８】
請求項７に記載の発明は、特に、請求項１〜６のいずれか１項に記載の構成において、仕切り壁のロースタ部に対向する面および本体外郭後面の仕切り壁に対向する面の少なくとも一方に熱反射層を設ける構成としたことにより、熱輻射を反射するので仕切り壁または本体外郭後面の温度上昇を抑えることができる。
【００１９】
請求項８に記載の発明は、特に、請求項１〜７のいずれか１項に記載の本体外郭後面に輻射層を設ける構成としたことにより、本体外郭後面からの輻射熱を多くすることができるので本体外郭後面の温度を低減することができる。
【００２０】
【実施例】
本発明の特徴は本体外郭後面の表面温度を低減するためにロースタ部と本体外郭後面との間に仕切り壁により空間を設けたことである。以下、本発明の実施例について、図面を参照しながら説明する。なお、本実施例の説明にあたっては誘導加熱部を左右に有するいわゆる２口のコンロ部と魚などを焼くロースタ部を有する誘導加熱調理器の場合について説明する。
【００２１】
（実施例１）
図１は本発明の実施例１における誘導加熱調理器の破断平面図、図２は同誘導加熱調理器の分解斜視図、図３は同誘導加熱調理器の要部拡大断面図、図４は同誘導加熱調理器の外観背面図である。
【００２２】
図において、２１は外郭を構成する本体、２２は本体２１の上面に設けたトッププレート、２３はトッププレート２２を保持するトップフレームであり、トップフレーム２３の後部には吸気口２４と排気口２５とを設けている。２６、２７はトッププレート２２下方に設けたは加熱コイルで、トッププレート２２に載置した被加熱物を誘導加熱し加熱調理する。２８は加熱コイル２６、２７の出力を制御する出力制御部である。２９は冷却風を発生する冷却ファン、３０は魚などを焼くロースタ加熱装置を有するロースタ部である。
【００２３】
また、３１はロースタ部３０の後方に位置する本体外郭後面、３２は本体外郭後面に設けられた開口である。３３は本実施例の特徴である仕切り壁で、本体外郭後面３１とロースタ部３０との間に空間３３を形成するように設けている。また、この空間３３にはロースタ加熱装置を冷却して高温となった冷却風が回り込んでこないようにしている。３５は内部隔壁で出力制御部および冷却ファンを配する部位とロースタ部とを仕切っており、その後部の本体外郭後面３１の近くに冷却風を導入する導入口３６を設けている。この構成において仕切り壁３３の一端は本体２１の側面に、他端は内部隔壁３５の側面に夫々密接に取付けている。したがって、本実施例の空間３４の構成は、その前後を仕切り壁３３と本体外郭後面３１とで、左右を本体の側面と内部隔壁とで、さらに上下は本体に設けられた上板と下板とで仕切られた構成となっている。これにより、導入口から導入された冷却風が開口３２より排出するようにしている。
【００２４】
以上のように構成された誘導加熱調理器について、以下、その動作作用を説明する。
【００２５】
冷却ファン２９は送風圧を発生するので本体２１内部の圧力が高まり、本体２１内に開口や通気経路があると、冷却ファン２９からの冷却風をこれら開口や通気経路を通って本体外に排出する。したがって、内部隔壁３５に設けた導入口３６から、仕切り壁３３と本体外郭後面３１との間の空間３４を経由し、本体外郭後面３１の開口３２に至る矢印で示す通風路Ｐを形成する。
【００２６】
本体２１内の主冷却経路は、図２に示すように、冷却ファン２９から出力制御部２８を通り、加熱コイル２７を通過した後、本体２１内左の通気孔からロースタ部３０の左を通り、本体外郭後面３１内面を通過して排気口２５に達する流れである。これに加え、冷却ファン２９から内部隔壁３５の導入口３６に入る流れが形成され、これが通風路Ｐを流れる経路となる。通風路Ｐには、ロースタ部３０周囲を通過した熱気は流れず、温度上昇が比較的低い出力制御部２８を通過した冷却風が供給されるので、ロースタ部３０の後方に位置する本体外郭後面３１の部分の温度は低減する。
【００２７】
さらに、本体２１の後方には誘導加熱調理器を設置するキッチン台の壁があるが、ここに当たる排熱温度が下がることに加え、排気口２５から出る熱気を通風路Ｐから出る排気で押し上げるので、キッチン台の温度上昇も低減できる。かつ、冷却ファンから排気口に至る排気経路は、主冷却経路に加え通風路Ｐを通る冷却経路が補助的に追加されるので、冷却ファン２９の排気抵抗は低減され、冷却ファン２９の能力低下を生じることなく、したがって、冷却ファン２９の能力を増加することなく温度の低下を図ることができる。
【００２８】
なお、本体外郭後面３１に設けた開口３２は図４ではロースタ加熱装置に対応する部分のほぼ前面に一様に設けているが、上部に行くにしたがって、開口の大きさを大きくすると冷却効率がよくなる。また、開口は上部のみまたは左上部としても良いが、これは機種により効率よく冷却できるように検討し、定めればよい。
【００２９】
以下、具体的な実施例について述べる。
【００３０】
２口の誘導加熱部と１つのロースタ部とを有する誘導加熱調理器で、消費電力を４０００Ｗから４８００Ｗに２０％出力を増加した場合、従来の構成のまま出力を増加したとき本体外郭後面３１の温度は８５℃を超える場合があった。これは、電気用品安全法の別表第八の附表第四における「温度限度」に記載されている温度８５℃を超えるものである。一方、本実施例の構成で空間３４の間隔を１０ｍｍとして出力を２０％増加したとき本体外郭後面３１の温度は８０℃であり前記規格を充分満足するものであった。このように本実施例の方法によれば、充分な冷却効果が得られるとともに、１０ｍｍ程度の空間であれば器体内部で吸収することができるため器体の外形を大きくせずに実施できる。また、器体を大きくする必要があっても実質的には２〜３ｍｍ程度で済ますことができるため、器体の外形寸法を据え付けのための規制値以内に納めることができる。
【００３１】
以上の説明では、空間３４の間隔として１０ｍｍの場合について説明したが、寸法に余裕のある場合はさらに大きくしてもよいし、また、寸法に余裕のない場合は５ｍｍ程度にしても温度の低減効果はほとんど変わらない。間隔が５ｍｍより狭くなると温度低減効果は急速に低下してくる。したがって、このような場合は新たにファンなどを取付け冷却風の風力を強くするなどの他の手段が必要となる。
【００３２】
また、本実施例では本体外郭後面３１と仕切り壁３３とはほぼ平行に設けているが、内部隔壁３５に設けた導入口３６に近い部分の本体外郭後面３１と仕切り壁３３との間隔を広くし、導入口３６より離れるにしたがって狭くなるようにすると、冷却風が奥のほうまで良く行き渡るようになり本体外郭後面３１の後面の温度分布が小さくなり好ましい。
【００３３】
なお、本実施例では空間を上下および周囲を囲んだ状態の場合について説明したがこれに限定されるものではなく、設計によっては周囲からロースタ加熱装置を冷却した冷却風がはいってくる恐れがあまりない場合や、制限温度に余裕があり周囲からまたは上下から冷却風の一部が漏出しても良い場合などは本実施例の構成にこだわる必要はない。要は設けた空間に冷却風が導入され本実施例の主旨である本体外郭後面が充分に冷却されるならば空間の構成はどのようであってもよい。
【００３４】
また、空間への冷却風の導入は前記構成に限定されるものではなく、本実施例の主旨にかなう冷却風を導入することができるならば、どのような通風路を設けても良いのは勿論である。
【００３５】
また、本実施例では空間に冷却風を導入する場合について述べたが、設計によっては、または出力の増加率が低い、例えば、１０パーセント程度の場合、あるいは消費電力が低い場合で、本体外郭後面の温度をそれほど低減する必要のない場合は、冷却風を導入しない構成としても良い。この場合、構成が簡単になるためあまり価格を上げることなく本体外郭後面の温度を下げることができる。
【００３６】
また、仕切り壁と本体外郭後面との間の空間に断熱材を挿入しても本体外郭後面の温度を低減することができる。断熱材の巾は空間の巾よりも小さくても良い。このとき生じた隙間に本実施例のように冷却風を流すようにすると温度低減効果は大きくなる。断熱材としてはガラス繊維やシリか繊維などのように耐熱性を有する繊維からなるものが好ましい。とくに、断熱材として真空断熱材を用いると効果が大きい。それは、真空断熱材を用いて他の断熱材を用いた場合と同程度の断熱を行う場合、断熱材の厚つみを減らすことができ空間の巾を小さくすることができるからであり、また、空間の巾を一定としたときは断熱材を挿入した後の隙間の巾が大きくなるため、冷却風を導入する方式を用いた場合冷却風を流しやすくなるためである。この他、断熱材として無機中空体を空間に充填する方法もある。
【００３７】
また、仕切り壁の内側、すなわちロースタ加熱装置がある高温側の面に熱線反射層を設けると、ロースタ加熱装置からの輻射線が反射され仕切り壁の温度を抑えることになり、仕切り壁からの輻射温度を低くすることができる。同様に、本体外郭後面の仕切り壁に対抗する面に熱線反射層を設けると同様の理由により本体外郭後面の温度を低減することができる。
【００３８】
また、空間に冷却風を流しても流さなくても温度低減効果は得られるが冷却風を流した方が効果的なのは勿論である。なお、熱線反射層としては種々あるが、仕切り壁あるいは本体外郭後面にアルミニウム箔をラミネートするか、あるいはアルミニウムを含有した塗装膜を設けるかするのが価格的に有利である。なお、熱線反射層は本体外郭後面と仕切り板の両方に設けても良いのは勿論である。
【００３９】
また、従来の誘導加熱調理器では本体外郭後面の温度があまり問題にならず、かつ本体外郭後面は人目に触れにくいため板金をそのまま用いるのが一般的であった。しかるに、本発明のように本体外郭後面の温度を低減する必要があるときは本体外郭後面の外側に輻射層を設けると本体外郭後面からの輻射が多くなり、その温度を低減することができる。なお、輻射層としては塗装膜でもその効果を充分に発揮できる。
【００４０】
なお、空間に断熱材を挿入したり、本体外郭後面や仕切り壁に熱線反射層を設けたり、あるいは本体外郭後面に輻射層を設けたりする手段は単独で用いても良いが組合わせて用いるとさらに温度低減効果が得られる。
【００４１】
（実施例２）
図５は本発明の実施例２における誘導加熱調理器の要部断面図、図６は同誘導加熱調理器の他の例の要部断面図である。なお、本実施例の基本構成は実施例１と同じなので異なる点を中心に説明する。また、実施例１と同じ機能には同じ符号を付しその説明は省略する。
【００４２】
本実施例が実施例１と異なる点は、実施例１が空間３４に冷却風を導入するにあたって、冷却ファン２９で発生した冷却風を内部隔壁３５の導入口３６より強制的に導入し冷却するのに対し、本実施例では内部隔壁３５には導入口は設けず本体外郭後面３１に設けた上下の開口により行われる自然対流により冷却する点である。
【００４３】
図５において、仕切り壁３３と本体外郭後面３１との間に形成した空間３４に下部開口３７より浸入した外気は空間３４を通って上部開口３８より外部へ排出する。この自然対流の過程で仕切り壁３３より熱を奪い仕切り壁３３を冷却し輻射温度を低減すると共に、本体外郭後面３１に外気が接触し冷却するのでその温度が上昇するのを抑制することができる。
【００４４】
また、図６は下部開口３７および上部開口３８に切起こし３９を設けたもので、これにより自然対流がより促進される。なお、上部開口３８の切起こし３９は下向けにしてもよく、また設けなくても良い。
【００４５】
なお、上部開口３８は空間３４の頂部にも受けても良い。このとき外部への排気路も確保する必要がある。また、実施例１同様に空間に断熱材を挿入したり、熱反射層や輻射層を設けたり、あるいはこれらを組合わせて使用したりすることにより実施例１と同様の効果を得ることができる。
【００４６】
このように本実施例によれば簡単な構成により本体外郭後面の温度を低減することができる。
【００４７】
以上、実施例１および２では誘導加熱調理器として２口の誘導加熱部と１つのロースタ部を有する誘導加熱調理器について述べたが、これに限定されるものではなく、２口の誘導加熱部と１口の輻射加熱部および１つのロースタ部を有する誘導加熱調理器であっても良いし、１つのロースタ部と他の１つまたは複数の加熱部とを有する誘導加熱調理器であってもよいのは勿論である。
【００４８】
また、本実施例によれば、本体外郭後面と仕切り壁との間に空間を設け、この空間に冷却風を導入したり、断熱材を挿入したり、または熱反射層や輻射層を設けたり、並びにこれらを組合わせて使用することにより、本体外郭後面の温度を夫々の手段に応じて低減することができる。したがって、温度の低減割合は前記手段により異なるため、消費電力の大きさ、消費電力の増加率の割合、または必要とする低減温度などに基づいて定めたらよい。
【００４９】
以上述べたように本実施例によれば簡単な構成で、外形寸法をほとんど大きくすることなく、本体外郭後面の温度を低減できるのでその実用的効果は大なるものがある。
【００５０】
【発明の効果】
以上のように、請求項１ないし８に記載の発明によれば、ロースタ加熱装置の後方に位置する本体外郭後面がロースタ加熱装置を冷却した高温排気に直接さらされず、本体外郭後面の温度上昇の低減をすることができる。
【図面の簡単な説明】
【図１】本発明の実施例１における誘導加熱調理器の破断平面図
【図２】同誘導加熱調理器の分解斜視図
【図３】同誘導加熱調理器の要部拡大断面図
【図４】同誘導加熱調理器の外観背面図
【図５】本発明の実施例２における誘導加熱調理器の要部断面図
【図６】同誘導加熱調理器の他の例の要部断面図
【図７】従来の誘導加熱調理器の分解斜視図
【図８】ロースタ加熱装置の斜視図
【符号の説明】
２１  本体
２２  トッププレート
２４  吸気口
２５  排気口
２６、２７  加熱コイル
２８  出力制御部
２９  冷却ファン
３０  ロースタ部
３１  本体外郭後面
３２  開口
３３  仕切り壁
３４  空間
３６  導入口
３７  下部開口（開口）
３８  上部開口（開口）
【図１】
2004281196.tif 000003
【図２】
2004281196.tif 000004
【図３】
2004281196.tif 000005
【図４】
2004281196.tif 000006
【図５】
2004281196.tif 000007
【図６】
2004281196.tif 000008
【図７】
2004281196.tif 000009
【図８】
2004281196.tif 000010